【事件の表示】
　特願２００２−１７７３６２「散布作業車」拒絶査定不服審判事件〔平成１５年　２月　４日出願公開、特開２００３−　３３６９２〕について、次のとおり審決する。
【結　論】
　本件審判の請求は、成り立たない。
【理　由】
第１．手続きの経緯・本願発明　
　本願は、平成３年４月１５日に出願した特願平３−８２４４８号を、平成１２年１月３１日にその一部を分割して新たな特許出願とした特願２０００−２２１３８号を、平成１４年６月１８日にその一部を分割して新たな特許出願とした特願２００２−１７７３６２号の特許出願であって、平成１５年４月３日付けで拒絶査定がなされ、これに対し、同年５月２８日に拒絶査定に対する審判請求がなされ、その後、当審において、平成１７年９月２日付けで拒絶理由が通知され、これに対し、同年１１月２８日付けで手続補正がなされたものであり、その請求項１に係る発明は、平成１７年１１月２８日付けで全文補正された明細書の記載からみて、その特許請求の範囲の請求項１に記載された次のとおりのものである。　
　【請求項１】車体後部に潅水用あるいは消毒用の液体を収容するタンク（２２）を搭載し、車体前部に複数の噴霧ノズル（３４，３４…）を有するセンター噴霧管（３５）を備え車体左右幅と同等あるいはそれよりやや広いセンター噴霧機枠（２７）、及び複数の噴霧ノズル（３４，３４…）を有するサイド噴霧管（４８，４８）を備え該サイド噴霧管（４８，４８）が上記センター噴霧管（３５）の左右両端部に略一直線状に延ばした幅広噴霧作業状態と車体側後方に近付けた幅狭収納状態とに切換可能に傾斜軸芯（４１）回りで回動可能なサイド噴霧機枠（３９，３９）を有する噴霧装置（２６）をリンク機構を介して昇降自在に支持した散布作業車において、前記リンク機構を昇降させるアクチュエータ（１９）とサイド噴霧機枠（３９，３９）を回動させるアクチュエータ（４５，４５）とを共に電動シリンダーで構成すると共に、サイド噴霧機枠（３９，３９）を回動させるアクチュエータ（４５，４５）をセンター噴霧機枠（２７）の上方にこれと平行に設け、操縦座席（６）前方のハンドル（７）の横側方であってサイド噴霧機枠（３９，３９）を回動すべく並べて設けられるスイッチ（ロ）（ハ）とリンク機構を昇降させるスイッチ（イ）を左右方向の同じ側に接近させて設けたことを特徴とする散布作業車。（以下、「本願発明」という）　
　　　
第２．当審の拒絶理由
　当審において平成１７年９月２日付けで通知した拒絶理由の概要は、本願発明は、実願昭６３−１４９７６２号（実開平２−７０７５７号）のマイクロフィルム、実公昭５９−３３２３０号公報、実願平１−６４９０４号（実開平３−７９６９号）のマイクロフィルム及び特開平２−２４６８３４号公報に記載された発明に基づいて当業者が容易に発明をすることができたものであるから、特許法第２９条第２項の規定により特許を受けることができない、というものである。
　
第３．刊行物に記載された発明　
　刊行物１：実願昭６３−１４９７６２号（実開平２−７０７５７号）の
　　　　　　マイクロフィルム 
　刊行物２：実公昭５９−３３２３０号公報
　刊行物３：実願平１−６４９０４号（実開平３−７９６９号）の
　　　　　　マイクロフィルム（平成３年１月２５日公開）
　刊行物４：特開平２−２４６８３４号公報 
　
　実願昭６３−１４９７６２号（実開平２−７０７５７号）のマイクロフィルム（以下、「引用刊行物１」という）の、　
　明細書第１０頁第１０行乃至第１９行には「自走散布車１０は、ステアリングホイール１２を備える運転席１４を中央部に有し・・・薬液タンク２0は、運転席1４の後ろ側に配設され、薬液を貯蔵する。薬液用開閉２１は、運転席１４の前側のステアリングホイール１２の下方に配設され、ノズル管３８ａ，３８ｂ，３８ｃへの薬液の供給量を制御する。」と、 
　明細書第１１頁第２行乃至第１２頁第３行には「第４図は自走散布車ｌ０の前部に装備されるブームを自走散布車ｌ０の前方から見た図である。センタブーム２６は左右方向へ水平に延び、右サイドブーム２８及び左サイドブーム３０は、基端部側の支点３２において揺動自在にセンタブーム２６の右端部及び左端部にそれぞれ配設される。油圧シリンダ３４は、右サイドブーム２８及び左サイドブーム３０に対応して設けられ、伸縮により右サイドブーム２８及び左サイドブーム３０を、Ｘ字状に交差する格納位置及び左右水平方向へ張り出す水平位置との間で揺動させる。・・・吐出管３６ａ，３６ｂ，３６ｃ及びノズル管３８ａ，３８ｂ，３８ｃは、センタブーム２６、右サイドブーム２８及び左サイドブーム３０の下面側の位置となるように、ステー４０を介してこれらセンタブーム２６、右サイドブーム２８及び左サイドブーム３０のにそれぞれ取付けられ、複数個のノズル４２が、ノズル管３８ａ，３８ｂ，３８ｃの長手方向へ適宜間隔にノズル管３８ａ，３８ｂ，３８ｃに取付けられている。」と、 
　明細書第１２頁第８行乃至第１２行には「ノズル４２からの薬液の噴霧Ａは・・・噴霧Ａを作物等の被散布物へ搬送する。」と、 
　明細書第１３頁第１行乃至第９行には「第６図はセンタブーム２６の上下動機構の構造図である。油圧シリンダ４８は、上下方向へ延び、上下の端部においてピン４９を介してそれぞれセンタブーム２６の上部構造体５０及びブーム取付用マスト２２に結合している。ステー５２はセンタブーム２６に固定され、ローラ５４は、ステー５２の端部に回動自在に取付けられ、油圧シリンダ４８の伸縮に伴ってブーム取付用マスト２２の側面を転動して、センタブーム２６を上下方向へ案内する。」と、 
　明細書第１９頁第４行乃至第１９行には「薬液及び散布物１２４の散布中、作業者は、自走散布車１０の運転席１４に乗り込み、散布場所において自走散布車１０を所定の速度で走行させる。
　薬液の散布を行なう場合は、薬液を薬液タンク２０からノズル管３８へ圧送する図示しないポンプを駆動させるとともに、薬液用開閉弁２１及びシャッタ１２８をそれぞれ開及び閉とする。・・・薬液タンク２０内の薬液は、ポンプによりノズル管３８ａ，３８ｂ，３８ｃへ送られ、ノズル管３８ａ，３８ｂ，３８ｃのノズル４２から噴霧される。」と、それぞれ記載されている。 
　また、自走散布車の平面図及び正面図である第１図及び第２図、自走散布車の前部に装備されるブームを自走散布車の前方から見た図である第４図には、「車体後部に薬液タンク２０を搭載し、車体前部に車体左右幅と同等あるいはそれよりやや広いセンタブーム２６、及びこのセンタブーム２６の左右に車体内側に向かって回動する右サイドブーム２８及び左サイドブーム３０を設けた自走散布車１０」が記載されている。
　
　したがって、引用刊行物１には以下の発明が記載されていると認められる。 
　「車体後部に薬液を貯蔵する薬液タンク２０を搭載し、
　車体前部に複数個のノズル４２を有するノズル管３８ａを備え車体左右幅と同等あるいはそれよりやや広いセンタブーム２６と、複数個のノズル４２を有するノズル管３８ｂ，３８ｃを備えセンタブーム２６の右端部及び左端部にそれぞれ配設され左右水平方向へ張り出す水平位置とＸ字状に交差する格納位置とに支点３２において揺動自在な右サイドブーム２８及び左サイドブーム３０とを有し、センタブーム２６を上下動機構を介して上下動自在に支持した自走散布車１０において、
　前記上下動機構を上下動させる油圧シリンダ４８と右サイドブーム２８及び左サイドブーム３０を対応して揺動させる油圧シリンダ３４とを構成すると共に、右サイドブーム２８及び左サイドブーム３０を揺動させる油圧シリンダ３４，３４をセンタブーム２６の上方に設けた自走散布車１０。」（以下「引用刊行物１に記載された発明」という） 
　 
　実公昭５９−３３２３０号公報（以下、「引用刊行物２」という）の、 
　公報第１頁第１欄第３７行−第２欄第１３行には「本考案は、雑草、芝生等を刈取る回転刈取装置や畝成形装置などの対地作業装置を、対地一定姿勢で昇降させるための作業機昇降機構に関する。この種の作業機昇降機構としては、第３図、第４図に示すように、トラクタの前部に連結した機枠０１に、機体進行方向に対する垂直方向に沿った横軸芯周りで上下揺動可能な上下のリンク対０２，０２を平行に設け、このリンク対０２，０２の遊端部に対地作業装置０３を支持させるとともに、前記機枠０１と対地作業装置０３側の固定部材０５との間には、駆動伸縮装置０４を介装し、もつて、この駆動伸縮装置０４の伸縮作動によつて対地作業装置０３を対地一定姿勢で昇降させ得るように構成したものが存在する」と、記載されている。 
　そして、これらの記載と、従来例を示す要部の側面図である第３図及び第３図における平面図である第４図によれば、引用刊行物２には以下の発明が記載されていると認められる。
　「刈取装置や畝成形装置などの対地作業装置０３を前部に支持させるトラクタにおいて、上下のリンク対０２，０２を、左右方向に所定間隔を空けて揺動可能に設け、前記左右の上下のリンク対の先端側を固定部材０５に設けて側面視四辺リンク式の昇降機構を構成すると共に、前記上下のリンク対の左右間で且つトラクタのボンネット前方に前記昇降機構を昇降させる駆動伸縮装置０４を設けたトラクタ。」
　　
　実願平１−６４９０４号（実開平３−７９６９号）のマイクロフィルム（以下、「引用刊行物３」という）の 、
　明細書第２頁第９行乃至第１４行には「〔産業上の利用分野〕
  この考案は、自走台車に載設されて圃場における農薬、種子等の散布物の散布を行う自走散布装置に係り、詳しくは自走台車の左右方向に関する噴頭の方向の変更作業を能率化できる自走散布装置に関するものである。」と、
　明細書第１２頁第２行乃至第７行には「電動シリンダ７４は、基端側噴管３０の外周に固定され、リンク７６を介して先端側噴管３２の外周面へ結合している。電動シリンダ７４の伸縮によりリンク７６が、自走台車１０の左右方向へ変位し、これにより、先端側噴管３２は蝶番７０において基端側噴管３０に対して揺動する。」と、 
　明細書第１４頁第１３行乃至第１５頁第１０行には「流し多口噴頭３４の格納時及び自走台車１０の走行中における障害物への流し多口噴頭３４の衝突の回避時では、作業者は運転席１４において第３のスイッチ８４を第３の電動機７８の正転位置にオン操作する。これにより、第３の電動機７８が正方向へ回転し、電動シリンダ７４は、縮小して、リンク７６を自走台車１０の中央側へ引く。先端側噴管３２は、蝶番７０の周りに基端側噴管３０に対して上方へ揺動し、先端側噴管３２及び流し多口噴頭３４は、自走台車１０の側方へ突出する位置から、起立位置となり、自走台車１０の内側へ引き込まれる。散布物３８の散布作業を行うとき及び障害物を通過したときは、第３のスイツチ８４が第３の電動機７８の逆転位置にオン操作され、電動シリンダ７４が伸長され、先端側噴管３２は、蝶番７０において基端側噴管３０に対して下方へ揺動し、基端側噴管３０と中心線が一致するようにされる。これにより、流し多口噴頭３４は自走台車１０の側方へ突出した位置となる。」と、記載されている。 
　また、図面全体、特に噴管胴から基端側噴管へ至る範囲の詳細な平面図である第１図及び自走台車の後部の左半部を自走台車の後方から詳細に示す図である第３図には、「先端側噴管３２を揺動させる電動シリンダ７４を基端側噴管３０に平行に固定」したことが記載されている。
　したがって、引用刊行物３には以下の発明が記載されていると認められる。
　「基端側噴管３０、及び内側へ引き込まれる先端側噴管３２を備えた農薬を散布する自走台車１０において、前記先端側噴管３２を揺動させる電動シリンダ７４を基端側噴管３０に平行に固定した自走台車１０。」
　
　特開平２−２４６８３４号公報（以下、「引用刊行物４」という）の、 
　公報第２頁左下欄第８行乃至第１１行には「第１図乃至第６図は本発明の１例としての乗用田植機をあらわし、この田植機１は動力農機２の後部に作業装置としての田植装置３が装着されている。」と、 
　公報第４頁右上欄第７行乃至左下欄第５行には「動力農機２は以上のように構成されたシャシにボディ１００が被せられている。図中の１０１は座席、１０２は操縦ハンドル、１０３は主変速装置３２を操作する主変速レバー、１０４は副変速装置２４を操作する副変速レバー、１０５は田植装置３の昇降と植付作業の入／切を行なう油圧植付レバー、１０６は後記マーカ操作用のマーカレバーである。
　また、図中の１２０は動力農機の後部に設けられている作業装置装着用の平行リンク装置であって、この平行リンク装置１２０は、背面視門形の枠体１２２と、該枠体に支持されている上リンク１２３および下リンク１２４と、前記上下リンクの後端部に取り付けられ下端部に田植装置が装着される連結枠１２５とから構成され、前記油圧ポンプ３１の後部に設けた油圧シリンダ１２７で上リンク１２３を上下に回動させることにより、連結枠１２５が一定姿勢に保持されたままで上下動させられるようになっている。」と、 
　公報第４頁左下欄第６行乃至右下欄第１２行には「つぎに田植装置３について説明すれば、ＰＴＯ軸１２９を介して伝動される伝動ケース１３０と、・・・とを備え、・・・また、伝動ケース１３０の左右両側部には、・・・走行の目印として圃場面に線引きを行なうマーカ１４０，１４０が設けられている。
　マーカ１４０は線引きを行なうときには側方に倒し、線引きを行なわないときには起立させるが、その操作は前記一対のマーカレバー１０６,１０６で左右各別に行なわれる。第６図に示すように、一対のマーカレバー１０６,１０６は油圧植付レバー１０５を挟んで両側に共通の軸１４２に設けられており、・・・」と、それぞれ記載されている。 
　また、農作業機の１例の平面図である第２図及び説明図である第６図には、「座席１０１前方の操縦ハンドル１０２回動中心に対して左右一側にはマーカレバー１０６,１０６と油圧植付レバー１０５とを設け、これらの左右方向反対側に主変速レバー１０３及び副変速レバー１０４を設けた」ことが記載されている。
　したがって、これらの記載によれば、引用刊行物４には以下の発明が記載されていると認められる。 
　「動力農機２の後部に伝動ケース１３０、及びこの伝動ケース１３０の左右両側部に起倒するマーカ１４０を設けた田植装置３を平行リンク装置１２０を介して上下動自在に装着した乗用田植機において、座席１０１前方の操縦ハンドル１０２回動中心に対して左右一側には圃場面に線引きを行なう左右のマーカ１４０，１４０を左右各別に起倒させる一対のマーカレバー１０６,１０６を田植装置３全体を昇降させる油圧植付レバー１０５を挟んで両側に設け、これらの左右方向反対側に主変速レバー１０３及び副変速レバー１０４を設けた乗用田植機。」　
　　　
第４．対比・検討　
　本願発明と引用刊行物１に記載された発明とを比較する。
　引用刊行物１に記載された発明の「複数個のノズル４２」は本願発明の「複数の噴霧ノズル（３４，３４…）」に相当し、以下同様に「ノズル管３８ａ」は「センター噴霧管（３５）」に、「センタブーム２６」は「センター噴霧機枠（２７）」に、「ノズル管３８ｂ，３８ｃ」は「サイド噴霧管（４８，４８）」に、「支点３２」は「軸芯（４１）」に、「右サイドブーム２８及び左サイドブーム３０」は「サイド噴霧機枠（３９）」に、「上下動自在」は「昇降自在」に、「自走散布車１０」は「散布作業車」に、「右サイドブーム２８及び左サイドブーム３０を揺動させる油圧シリンダ３４，３４」は「サイド噴霧枠３９を回動させるアクチュエータ４５，４５」に、それぞれ相当する。そして、引用刊行物１に記載された発明の「ノズル管３８ａを備えたセンタブーム２６と、ノズル管３８ｂ，３８ｃを備えた右サイドブーム２８及び左サイドブーム３０」で構成される装置は「ノズル管３８ａ，３８ｂ，３８ｃのノズル４２から噴霧される」ものであるから「噴霧装置」を構成することは技術常識からみて明らかである。また、「センタブーム２６、右サイドブーム２８及び左サイドブーム３０にノズル管３８ａ，３８ｂ，３８ｃがそれぞれ取付けられ」る旨の記載、及び、「左右水平方向へ張り出す水平位置」で「噴霧作業」を行うことは技術常識であることを考慮すると、引用刊行物１に記載された発明の「センタブーム２６の右端部及び左端部にそれぞれ配設され左右水平方向へ張り出す水平位置とＸ字状に交差する格納位置とに支点３２において揺動自在な右サイドブーム２８及び左サイドブーム３０」という技術事項は、本願発明の「サイド噴霧管（４８，４８）がセンター噴霧管（３５）の左右両端部に延ばした幅広噴霧作業状態と車体側に近付けた幅狭収納状態とに切換可能に軸芯（４１）回りで回動可能なサイド噴霧機枠（３９，３９）」という技術事項に相当する。さらに、引用刊行物１に記載された発明の「薬液を貯蔵する薬液タンク２０」は本願発明の「潅水用あるいは消毒用の液体を収容するタンク（２２）」と比較して、「液体を収容するタンク」において一致し、以下同様に「上下動機構」は「リンク機構」と比較して、「昇降機構」において一致し、「上下動機構を上下動させる油圧シリンダ４８」は「リンク機構を昇降させるアクチュエータ１９」と比較して、「昇降機構を昇降させるアクチュエータ」において一致するから、両者の一致点及び相違点は次の通りである。 
 　
　一致点 
 「車体後部に液体を収容するタンクを搭載し、車体前部に複数の噴霧ノズルを有するセンター噴霧管を備え車体左右幅と同等あるいはそれよりやや広いセンター噴霧機枠、及び複数の噴霧ノズルを有するサイド噴霧管を備え該サイド噴霧管が上記センター噴霧管の左右両端部に延ばした幅広噴霧作業状態と車体側に近付けた幅狭収納状態とに切換可能に軸芯回りで回動可能なサイド噴霧機枠を有する噴霧装置を昇降機構を介して昇降自在に支持した散布作業車において、前記昇降機構を昇降させるアクチュエータとサイド噴霧機枠を回動させるアクチュエータとを構成すると共に、サイド噴霧機枠を回動させるアクチュエータをセンター噴霧機枠の上方に設けた散布作業車。
　 
　相違点 
　（Ａ）タンクに収容する液体が、本願発明では潅水用あるいは消毒用の液体であるのに対し、引用刊行物１に記載された発明では薬液である点 
　（Ｂ）本願発明では、サイド噴霧管が略一直線状に延ばした状態と車体側後方に近付けた状態とに切換可能に、サイド噴霧機枠が傾斜軸芯回りで回動可能であるのに対し、引用刊行物１に記載された発明ではそのような構成を有するかどうか不明である点
　（Ｃ）昇降機構が、本願発明ではリンク機構であるのに対し、引用刊行物１に記載された発明ではそのような構成を有していない点
  （Ｄ）本願発明ではリンク機構を昇降させるアクチュエータとサイド噴霧枠を回動させるアクチュエータとを共に電動シリンダーで構成したのに対し、引用刊行物１に記載された発明ではそのような構成を有していない点
  （Ｅ）本願発明では、サイド噴霧機枠を回動させるアクチュエータをセンター噴霧機枠と平行に設けたのに対し、引用刊行物１に記載された発明ではそのような構成を有するかどうか不明である点
  （Ｆ）本願発明では、操縦座席前方のハンドルの横側方にはサイド噴霧機枠を回動すべく並べて設けられるスイッチとリンク機構を昇降させるスイッチを左右方向の同じ側に接近させて設けたのに対し、引用刊行物１に記載された発明ではそのような構成を有するかどうか不明である点
　 　 
　そこで、上記相違点について検討する。 
　相違点（Ａ）について 
　潅水用あるいは消毒用の液体をタンクに収容し噴霧することは、農業の分野においては通常行われていることであり、タンクに潅水用あるいは消毒用の液体を収容することは、当業者が容易になし得ることである。 
　相違点（Ｂ）について
　車体後部の傾斜軸芯回りで回動させて略一直線状に延ばした状態と車体側前方に近付けた状態とに切換可能とすることは、例えば、特公昭５６−３５５１４号公報に記載された「回転軸４」及び「第１スプレーブーム３」（公報第２頁第４欄第２４行乃至第３４行、公報第３頁第５欄第２４行乃至第３０行、公報第３頁第６欄第１８行乃至第２３行、第２図及び第５図参照）、実公昭５８−４９８１５号公報に記載された「連結ピン５２」及び「元ブーム１」（公報第２頁第３欄第２２行乃至第２５行、公報第３頁第６欄第４１行乃至第４頁第７欄第３行、公報第４頁第７欄第１４行乃至第１５行、第２図及び第７図参照）、実願昭５９−２３２８０号（実開昭６０−１３６７７０号）のマイクロフィルムに記載された「斜め枢支軸（１６）」及び「ブーム（３）」（明細書第４頁第１２行乃至第１５行、第６頁第１６行乃至第２０行、第１図及び第４図参照）に示されているように周知・慣用の技術である。また、農用作業機を走行車体の前後に対してどの位置に設けるかは、適宜採用できる設計上の事項であるから、引用刊行物１に記載された発明の「車体前部に設けられたサイド噴霧機枠（右サイドブーム２８及び左サイドブーム３０）」に当該周知・慣用の技術を適用し、相違点（Ｂ）に係る構成とすることは、当業者が容易になし得ることである。
　相違点（Ｃ）について
　引用刊行物２には、リンク機構（側面視四辺リンク式の昇降機構）を介して作業機を昇降自在に支持することが記載されているから、引用刊行物１に記載された発明の支持手段に当該技術を適用し、相違点（Ｃ）に係る構成とすることは、当業者が容易になし得ることである。
　相違点（Ｄ）について
　引用刊行物３には、アクチュエータ（電動シリンダ７４）を電動シリンダーで構成したことが記載されているから、当該技術を引用刊行物１に記載された発明の「昇降させるアクチュエータ」と「回動させるアクチュエータ」とにそれぞれ適用して、相違点（Ｄ）に係る構成とすることは、当業者が容易になし得ることである。
　相違点（Ｅ）について
　引用刊行物３には、サイド噴霧機枠（先端側噴管３２）を回動させるアクチュエータ（電動シリンダ７４）をセンター噴霧機枠（基端側噴管３０）と平行に設けたことが記載されているから、当該技術を引用刊行物１に記載された発明に適用して、相違点（Ｅ）に係る構成とすることは、当業者が容易になし得ることである。
　相違点（Ｆ）について
　引用刊行物４には、操縦座席（座席１０１）前方のハンドル回動中心に対して左右一側には部材を回動（起倒）させるスイッチ（一対のマーカレバー１０６,１０６）と装置（田植装置３）全体を昇降させるスイッチ（油圧植付レバー１０５）を左右方向の同じ側に接近させて（挟んで）設けたことが記載されている。また、操縦者が操作するスイッチを車体に対して、どのように配置するかは、操作性を考慮して当業者が適宜なし得る設計上の事項であるから、引用刊行物４に記載された発明に基づいて、相違点（Ｆ）に係る構成とすることは、当業者が容易になし得ることである。 
　 
　そして、引用刊行物１乃至４に記載された発明は、作業装置を備えた乗用の走行車輌において共通しているから、これらの技術を寄せ集め、本願発明に記載された構成とすることは、当業者にとって容易である。 
　また、効果の点においても、上記の引用刊行物１乃至４に記載されたものと比較して格別の効果を奏するものとは認められない。 
 　　 
　よって、本願発明は、引用刊行物１乃至４に記載された発明及び周知・慣用技術に基づいて当業者が容易に発明をすることができたものである。 
　　
第５．むすび
　以上のとおり、本願発明は、当審で通知した拒絶の理由に示された上記引用刊行物１乃至４に記載された発明及び周知・慣用技術に基づいて当業者が容易に発明をすることができたものであるから、本願は、特許法第２９条第２項の規定により、特許を受けることができない。
　
　よって、結論のとおり審決する。